(57)【要約】  シーン理解装置は、道路上において車両同士又は車両と人が交錯する特定地点に、障害物を検出するための１又は２以上の、道路構造に応じた形状の障害物検出枠４２が予め設定されている地図データを取得する。自車の走行予定経路５１上にある特定地点において、障害物検出枠４２に障害物が有るか否かを判断し、障害物の有無の判断結果に基づいて、特定地点の危険度を算出する。
2016170646.tif 000002
【特許請求の範囲】
【請求項１】
道路上において車両同士又は車両と人が交錯する特定地点の危険度を判断するシーン理解装置であって、
障害物を検出するための１又は２以上の、道路構造に応じた形状の障害物検出枠が前記特定地点に予め設定されている地図データを取得する地図取得部と、
自車の走行予定経路を示す経路データを取得する経路取得部と、
前記走行予定経路上にある前記特定地点において、前記障害物検出枠に障害物が有るか否かを判断する障害物判断部と、
前記障害物の有無の判断結果に基づいて、前記特定地点の危険度を算出する危険度算出部と、
を備えることを特徴とするシーン理解装置。
【請求項２】
前記地図取得部は、前記障害物によって生じる死角と重畳するか否かを注視すべき注視枠が、前記特定地点に予め設定されている前記地図データを取得し、
前記シーン理解装置は、前記障害物によって生じる死角が前記注視枠と重畳しているか否かを判断する死角重畳判断部を更に備え、
前記危険度算出部は、前記重畳しているか否かの判断結果に基づいて、前記特定地点の危険度を算出する
ことを特徴とする請求項１に記載のシーン理解装置。
【請求項３】
前記特定地点には複数の前記障害物検出枠が設定され、
前記危険度算出部は、前記障害物が有る前記障害物検出枠の組合せに基づいて、前記特定地点の危険度を算出する
ことを特徴とする請求項１又は２に記載のシーン理解装置。
【請求項４】
前記障害物が有る前記障害物検出枠の組合せが符号化され、前記符号化された前記組合せと前記危険度との関係を記憶する危険度データベースと、
前記障害物が有る前記障害物検出枠の組合せを符号化する符号化処理部と、を備え、
前記危険度算出部は、前記危険度データベースを用いて、前記符号化された組合せから、前記特定地点の危険度を算出する
ことを特徴とする請求項３に記載のシーン理解装置。
【請求項５】
前記障害物判断部は、前記走行予定経路上にある前記特定地点において、前記障害物検出枠に有る障害物の属性を検出し、
前記符号化処理部は、前記障害物が有る前記障害物検出枠及び前記障害物の属性の組合せを符号化する
ことを特徴とする請求項４に記載のシーン理解装置。
【請求項６】
前記特定地点に予め設定されている前記障害物検出枠の中から、前記走行予定経路によって定まる障害物検出枠を選択する検出枠選択部をさらに備え、
前記障害物判断部は、前記検出枠選択部により選択された前記障害物検出枠に障害物が有るか否かを判断する
ことを特徴とする請求項１〜５のいずれか一項に記載のシーン理解装置。
【請求項７】
前記特定地点における自車の位置によって定まる障害物検出枠、及び注意すべき前記障害物検出枠の順番を記憶する知識データベースと、
自車の位置を検出する自車位置検出部と、を更に備え、
前記障害物判断部は、前記知識データベースを参照して、自車の位置に基づいて、前記障害物検出枠に障害物が有るか否かを順番に判断する
ことを特徴とする請求項１、２及び６のいずれか一項に記載のシーン理解装置。
【請求項８】
前記特定地点は、３以上の道路が集まる交差点であって、
前記障害物検出枠は、前記交差点の入口、出口、交差点の内部、及び横断歩道に設定される
ことを特徴とする請求項１〜７のいずれか一項に記載のシーン理解装置。
【発明の詳細な説明】
【技術分野】
【０００１】
本発明は、道路上において車両同士又は車両と人が交錯する特定地点の危険度を判断するシーン理解装置に関するものである。
【背景技術】
【０００２】
従来から、自車の周辺の潜在的な危険度を算出するための危険度算出装置が提案されている（特許文献１参照）。特許文献１では、障害物検出装置からの情報に基づいて、自車の周辺に格子状領域であるメッシュの設定を変化させ、当該メッシュの各交点あるいは個々の格子状領域におけるリスクポテンシャルを算出する。そして、この算出されたリスクポテンシャルに従って、自車の目標経路を設定している。
【先行技術文献】
【特許文献】
【０００３】
【特許文献１】国際公開第２０１２／０３２６２４号
【発明の概要】
【０００４】
自車周辺の格子状領域の全てにおいてリスクポテンシャルを算出しているため、多くの障害物が検出された場合には、演算負荷が増大してしまい、危険度を算出するまでの時間が長くなってしまうという問題がある。
【０００５】
本発明は、上記課題に鑑みて成されたものであり、その目的は、演算負荷が過度に増大することを抑制するシーン理解装置を提供することである。
【０００６】
本発明の一態様に係わるシーン理解装置は、車両同士又は車両と人が交錯する特定地点において、予め設定されている、道路構造に応じた形状の障害物検出枠に障害物が有るか否かを判断し、その判断結果に基づいて、特定地点の危険度を算出する。
【図面の簡単な説明】
【０００７】
【図１】図１は、第１実施形態に係わるシーン理解装置を含む運転支援装置１ａの全体構成を示すブロック図である。
【図２】図２は、演算回路１７ａにより構成される複数の演算処理部を示すブロック図である。
【図３】図３は、第１実施形態に係わるシーン理解方法を含む運転支援方法の一例を示すフローチャートである。
【図４】図４（ａ）は、三叉路における縁石４１の位置を示す縁石情報もしくは道路ネットワーク情報の例を示す平面図であり、図４（ｂ）は、三叉路に設定される障害物検出枠４２の例を示す平面図である。
【図５】図５（ａ）及び（ｂ）は、合流地点の一例、及び合流地点に設定される障害物検出枠４２の例を示す平面図であり、図５（ｃ）及び（ｄ）は、横断歩道４５の一例、及び横断歩道４５に設定される障害物検出枠４２の例を示す平面図である。
【図６】図６（ａ）は信号機がある三叉路に設定される注視枠４８の例を示す平面図であり、図６（ｂ）は信号機がない三叉路に設定される注視枠４８の例を示す平面図であり、図６（ｃ）は障害物４９によって生じる死角と注視枠４８とが重畳している様子を示す平面図である。
【図７】図７（ａ）は、合流地点に設定される注視枠４８の例を示す平面図であり、図７（ｂ）は、横断歩道に設定される注視枠４８の例を示す平面図である。
【図８】図８（ａ）は、１１個の障害物検出枠（Ｒ０１〜Ｒ１１）、２個の注視枠（Ｔ０１、Ｔ０２）が設定されている三叉路を示す平面図である。図８（ｂ）〜図８（ｅ）は、図８（ａ）の三叉路において、障害物がある障害物検出枠（Ｒ０１〜Ｒ１１）及び死角と重畳する注視枠（Ｔ０１、Ｔ０２）の組合せの例を示す平面図である。
【図９】図９（ａ）〜図９（ｄ）は、検出枠選択部２５により選択される障害物検出枠４２’の例を示す平面図であり、図９（ｅ）及び図９（ｆ）は、検出枠選択部２５により選択される注視枠４８’の例を示す平面図である。
【図１０】図１０は、第２実施形態に係わるシーン理解装置を含む運転支援装置１ｂの全体構成を示すブロック図である。
【図１１】図１１は、演算回路１７ｂにより構成される複数の演算処理部を示すブロック図である。
【図１２】図１２は、第２実施形態に係わるシーン理解方法を含む運転支援方法の一例を示すフローチャートである。
【図１３】図１３は、図１２のステップＳ３３及びステップＳ２３の詳細な手順を示すフローチャートである。
【図１４】図１４は、図１３のステップＳ４７に示す知識ツリー（交差点入口）の詳細な手順を示すフローチャートである。
【図１５】図１５は、図１３のステップＳ４９に示す知識ツリー（交差点内部）の詳細な手順を示すフローチャートである。
【図１６】図１６は、図１３のステップＳ５１に示す知識ツリー（交差点出口）の詳細な手順を示すフローチャートである。
【発明を実施するための形態】
【０００８】
（第１実施形態）
次に、図面を参照して、本発明の実施の形態を詳細に説明する。
【０００９】
（第１実施形態）
図１を参照して、第１実施形態に係わるシーン理解装置を含む運転支援装置１ａの全体構成を説明する。運転支援装置１ａは、自車の走行予定経路上の特定地点において他車或いは人と交錯する危険度（シーン）に基づいて自車の行動（運転支援方法）を決定し、運転支援を実行する装置である。シーン理解装置は、危険度を算出する、すなわちシーンを理解する装置である。特定地点とは、道路上において車両同士又は車両と人が交錯する地点であって、例えば、３つ以上の道路が集まる交差点、高速道路の合流地点、横断歩道が含まれる。よって、シーン理解装置は、自車が特定地点を走行する際に、特定地点の周囲に有る他車或いは人を検出して、他車或いは人と交錯する危険度を算出する。そして、運転支援装置１ａは、自車が特定地点を安全に走行するために、危険度に基づいて自車の行動（運転支援方法）を決定し、運転支援を実行する。
【００１０】
運転支援装置１ａは、ＧＰＳ１１と、地図データベース１２と、車載カメラ１３及びレーザセンサ１４と、操作部１５と、危険度データベース１６と、演算回路１７ａと、を備える。ＧＰＳ１１は、自車の現在位置を検出する自車位置検出部の一例である。地図データベース１２は、地図データを記憶する地図記憶部の一例である。車載カメラ１３及びレーザセンサ１４は、車両周囲に存在する障害物の位置を検出する障害物検出部の例である。操作部１５には、自車の乗員の指示を受け付ける部材であって、マイク、インストルメントパネルに配置されたタッチパネル、ステアリングスイッチなどが含まれる。危険度データベース１６は、障害物が有る障害物検出枠の組合せと危険度との関係を記憶する。危険度データベース１６及び障害物検出枠については後述する。
【００１１】
演算回路１７ａは、障害物情報及び地図情報を用いて、危険度を算出して運転支援を実行する一連の演算処理を実行する回路であって、例えば、ＣＰＵ、ＲＡＭ、ＲＯＭ、メモリ、入出力制御回路から成る汎用のマイクロコンピュータである。マイクロコンピュータには、一連の演算処理が記述されたコンピュータプログラムが予めインストールされ、マイクロコンピュータがコンピュータプログラムを実行することにより、マイクロコンピュータは、上記した一連の演算処理を実行するための複数の演算処理部を構成する。演算回路１７ａにより構成される複数の演算処理部については、図２を参照して後述する。
【００１２】
ＧＰＳ１１は、全地球測位システムにおけるNAVSTAR衛星からの電波を受信して、自車の位置をリアルタイムに測定する。地図データベース１２に記憶されている地図データにおいて、障害物を検出するための１又は２以上の、道路構造に応じた形状の障害物検出枠が特定地点の各々に予め設定されている。車載カメラ１３は、自車に搭載され、自車周囲を撮像して周囲画像を取得する。演算回路１７ａは周囲画像を解析して障害物の有無及びその位置を判断する。レーザセンサ１４は、パルス状のレーザを射出して障害物からの反射光を検出することにより、自車から障害物までの距離及び方位を検出する。
【００１３】
図２を参照して、演算回路１７ａにより構成される複数の演算処理部を説明する。演算回路１７ａは、複数の演算処理部として、危険度を算出して運転支援方法を決定するシーン理解部２１と、決定した運転支援を実行する運転支援部２２とを構成する。シーン理解部２１は、地図取得部２３と、経路演算部２４と、検出枠選択部２５と、障害物判断部２６と、危険度算出部２７と、死角重畳判断部２８と、符号化処理部２９と、危険度データ取得部３０とを備える。
【００１４】
運転支援部２２は、シーン理解部２１により決定された自車の行動（運転支援方法）に従って、運転支援を実行する。具体的には、運転支援装置１ａが、各種アクチュエータを駆動することにより、ステアリング操作及びペダル操作を含む全ての運転操作を自ら主体的に行う自動運転制御であってもよい。或いは、運転者の聴覚、視覚、触覚等の五感を通じて、運転者が行うべき運転操作を指示、示唆、或いは暗示してもよい。
【００１５】
経路演算部２４は、ＧＰＳ１１によって測定された自車の現在位置から操作部１５が受け付けた目的地までの走行予定経路を演算する。なお、実施形態では、運転支援装置１ａ或いはシーン理解装置が、自ら、走行予定経路を演算する機能を有する場合を説明する。しかし、運転支援装置１ａ或いはシーン理解装置は、他の装置によって演算された走行予定経路を外部から取得しても構わない。
【００１６】
地図取得部２３は、地図データベース１２から、走行予定経路に係わる地図データを取得する。地図取得部２３は、走行予定経路上に有る特定地点を読み込み、更に、特定地点の各々に設定されている障害物検出枠を読み込む。地図データとして、デジタル地図を用いることができる。デジタル地図は、図４（ａ）に示す縁石４１の位置を示す縁石情報もしくは道路ネットワーク情報を備える。縁石情報は自車の走行可能領域を算出する際に利用される。道路ネットワーク情報は、自車が次の時刻で走行できる領域を求めるために利用される。更に、デジタル地図は、道路構造に応じた形状の障害物検出枠の情報も備える。
【００１７】
なお、実施形態では、地図データベース１２が車両に搭載される場合を示すが、これに限らず、車両外のサーバー上に記憶されていてもよい。この場合、地図取得部２３は、ネットワークを介して車両外から地図データを取得すればよい。また、危険度データベース１６についても同様である。また、障害物検出枠は、最初から地図データベース１２上に設定されるようにしてもよい。
【００１８】
図４（ｂ）に示すように、１つの特定地点（例えば、三叉路）には、道路構造に応じた形状の複数の障害物検出枠４２が設定されている。交差点の入口及び出口、交差点の内部、横断歩道及びそれに隣接する歩道部分等に、障害物検出枠４２が設定されている。交差点の内部には、交差点を直進或いは右左折する進路毎に、障害物検出枠４２が設定されている。
【００１９】
車両同士が交錯する特定地点の他の例として、図５（ａ）及び図５（ｂ）に示すように、合流車線４３（支線を含む）から本線４４への合流地点がある。また、車両と人とが交錯する特定地点として、図５（ｃ）及び図５（ｄ）に示すように、横断歩道４５がある。これらの特定地点にも、交錯する前（シーン入口）、交錯する部分（シーン内部）、及び交錯した後（シーン出口）の各々に、複数の障害物検出枠４２が予め設定されている。
【００２０】
障害物判断部２６は、走行予定経路上にある特定地点において、障害物検出枠に障害物が有るか否かを判断する。障害物判断部２６は、車載カメラ１３及びレーザセンサ１４によって検出された障害物の位置が、障害物検出枠の内部であるか否かを判断する。
【００２１】
危険度算出部２７は、障害物の有無の判断結果に基づいて、特定地点の危険度を算出する。危険度の具体的な算出方法の例は後述するが、これらに限定されず、既知の方法（例えば、特許文献１記載の方法）を適宜用いてもかまわない。
【００２２】
シーン理解部２１は、自車がこれから走る走行領域を縁石情報もしくは道路ネットワーク情報より求める。走行領域の中に特定地点が含まれる場合、特定地点に設定されている障害物検出枠を読み込む。自車に搭載された外界センシング装置（車載カメラ１３及びレーザセンサ１４）を用いて障害物を検出する。検出された障害物が障害物検出枠に含まれるかどうかを判断する。特定地点の所定の障害物検出枠に障害物がいる場合、特定地点が危険であると判断する。危険度は障害物検出枠ごとに設定してよいし、危険度は障害物検出枠ごとに変えてもよい。つまり、危険度を算出する際に、障害物検出枠毎に異なる重み付けを付してもよい。
【００２３】
このように、シーン理解部２１は、地図データに予め設定された障害物検出枠４２における障害物の有無に基づいて、特定地点の危険度を算出する。よって、危険度の算出に無関係な位置で検出される障害物を処理対象から排除できるので、演算負荷が過度に増大することが抑制される。
【００２４】
地図データベース１２に記憶されている地図データにおいて、障害物検出枠のみならず、障害物によって生じる死角と重畳するか否かを注視すべき注視枠が、特定地点の各々に予め設定されていてもよい。この場合、地図取得部２３は、注視枠が特定地点に予め設定されている地図データを取得する。図２に示すように、シーン理解部２１は、障害物によって生じる死角が注視枠と重畳しているか否かを判断する死角重畳判断部２８を更に備える。危険度算出部２７は、重畳しているか否かの判断結果に基づいて、特定地点の危険度を算出する。よって、死角に障害物が存在することを想定して特定地点の危険度を算出することができる。
【００２５】
注視枠４８は、他車、建築物或いは壁の存在によって死角になり易い位置に設けられる。注視枠４８は、更に、死角になったときに他車や人の飛び出しがあると危険な位置に設けられる。注視枠４８を設ける位置は、自車４６の経路や特定地点への進入方向に応じて異なる。特定地点が同じ、且つ、自車の経路が同じであっても、注視枠の位置と数は異なる場合がある。例えば、特定地点における信号機の有無に応じて、必要な注視枠の数は変化する。
【００２６】
図６（ａ）は、信号機がある三叉路に設定される注視枠４８の例を示す。対向車線の入口に他車がいると、他車の脇にあるバイクレーンが死角になり易い。交差点内に先行車がいると横断歩道や自車線の出口付近が死角になり易い。よって、死角になり易いこれらの位置に注視枠４８を設ける。
【００２７】
図６（ｂ）は、信号機がない三叉路に設定される注視枠４８の例を示す。自車４６が走行する道路に交わる他の道路から他車が流入するシーンを、危険度の演算において考慮する必要がある。他の道路の対向車線入口が先行車によって死角になり易い。よって、他の道路の対向車線入口に注視枠４８を設ける。
【００２８】
危険度算出部２７は、自車４６にとりつけたセンサより求まる死角５０が注視枠４８に重畳している状態量から危険度を算出する。例えば、危険度算出部２７は、注視枠４８の面積に対して、死角と注視枠が重畳する面積が占める割合から危険度を算出する。或いは、危険度算出部２７は、注視枠４８の外周に対して、死角と重畳する注視枠の長さ４８ａが占める割合から危険度を算出してもよい。危険度算出部２７は、これらの状態量が基準値よりも大きい場合に、見通しが悪いので高い危険度を算出することができる。
【００２９】
図７（ａ）に示すように、合流地点において、合流車線４３と本線４４の間に壁がある場合、その裏側は死角になり易い。また、合流車線４３から本線４４に車線変更している先行車がいる場合、合流後の本線４４付近が死角になり易い。よって、死角に成りやすいこれらの位置に、注視枠４８を設ける。なお、自車４６が合流車線４３から本線４４に進入するときは複数の注視枠４８を設ける。しかし、自車４６が合流車線４３よりも優先される本線４４を直進するだけの場合は注視枠を設けない。
【００３０】
図７（ｂ）に示すように、横断歩道において、先行車がいる場合、横断歩道の脇が死角になり易い。また、横断歩道を人が横断している場合、横断歩道の奥側が死角になり易い。よって、死角に成りやすいこれらの位置に、注視枠４８を設ける。
【００３１】
第１実施形態において、危険度算出部２７は、障害物が有る障害物検出枠４２の組合せに基づいて、特定地点の危険度を算出する。障害物検出枠４２の各々について危険度を算出する必要がないので、演算負荷の過度な増大を抑制することができる。更に、危険度算出部２７は、障害物により生じる死角と重畳する注視枠４８を、上記した障害物検出枠４２の組合せに追加して、特定地点の危険度を算出しても構わない。
【００３２】
上記したように、１つの特定地点には複数の障害物検出枠４２や注視枠４８が設定されている。危険度算出部２７は、障害物が検出された複数の障害物検出枠４２及び死角と重畳する注視枠４８の組合せから、予め定めた交通状況を読み解くことができるか否かを判断する。予め定めた交通状況を読み解くことができる場合に限り、危険度算出部２７は、交通状況に基づく危険度を算出する。自車が走行中に予め定めた交通状況を読み解けた場合、自車が遭遇した環境を危険なシーンとして理解する。
【００３３】
ここでは、障害物がある障害物検出枠４２及び死角と重畳する注視枠４８の組合せを用いて危険度を判断するが、障害物検出枠４２及び注視枠４８の各々について個別に危険度を算出し、これらを集計して、特定地点の危険度を算出しても構わない。
【００３４】
図８（ａ）は、１１個の障害物検出枠（Ｒ０１〜Ｒ１１）、２個の注視枠（Ｔ０１、Ｔ０２）が設定されている三叉路を示す。自車４６は、走行予定経路５１として、三叉路を右折する。図８（ｂ）〜図８（ｅ）は、図８（ａ）の三叉路において、障害物がある障害物検出枠４２及び死角と重畳する注視枠４８の組合せの例を示す。障害物がある障害物検出枠４２及び死角と重畳する注視枠４８にハッチングを付している。図８（ｂ）の例では、対向車線の交差点入口及び出口付近の障害物検出枠（Ｒ０４、Ｒ０６）で障害物が検出されている。危険度算出部２７は、障害物検出枠（Ｒ０４、Ｒ０６）の組合せから、対向車線が渋滞している、という交通状況を読み取ることができる。図８（ｃ）の例では、交差点内部及び自車の交差点出口付近の障害物検出枠（Ｒ０２、Ｒ０５、Ｒ０７）で障害物が検出されている。危険度算出部２７は、障害物検出枠（Ｒ０２、Ｒ０５、Ｒ０７）の組合せから、右折先に他車がいるために、交差点内に他車が滞留しており、右折待ち渋滞が起こっている、という交通状況を読み取ることができる。
【００３５】
図８（ｄ）の例では、横断歩道手前の交差点内部にある障害物検出枠（Ｒ０５）で障害物が検出されている。そして、自車の交差点出口の横断歩道付近にある注視枠（Ｔ０２）が死角と重複している。危険度算出部２７は、障害物検出枠（Ｒ０５）と注視枠（Ｔ０２）の組合せから、横断歩道に歩行者５３がいるので横断歩道手前で他車が停止している、或いは、横断歩道手前に障害物がいるために横断歩道が見えない、という交通状況を読み取ることができる。
【００３６】
図８（ｅ）の例では、対向車線の交差点内部にある障害物検出枠（Ｒ０５）で障害物が検出されている。そして、対向車線の交差点入口にある注視枠（Ｔ０１）が死角と重複している。危険度算出部２７は、障害物検出枠（Ｒ０５）と注視枠（Ｔ０１）の組合せから、対向車線の交差点内に他車がいるために、対向車線入口の側道が見えない、という交通状況を読み取ることができる。これにより、対向車線入口の側道にバイク５２がいるかもしれない、という危険性を判断することができる。
【００３７】
図１に示したように、第１実施形態に係わるシーン理解装置は、危険度データベース１６を備える。危険度データベース１６は、障害物が有る障害物検出枠４２の組合せが符号化され、符号化された組合せと危険度との関係を記憶している。シーン理解部２１は、障害物が有る障害物検出枠の組合せを符号化する符号化処理部２９を備える。危険度算出部２７は、危険度データベース１６を用いて、符号化処理部２９により符号化された組合せから、特定地点の危険度を算出する。符号化により更に演算負荷の増大を抑制することができる。なお、符号化する組合せに、死角に重畳する注視枠４８を追加してももちろん構わない。
【００３８】
符号化とは、コンピュータのビット列による高速情報処理を参考にした、危険度における情報表現の一手段である。符号化には、これまでに述べた複数の障害物検出枠と注視枠によるシーン理解の結果を用いる。組合せと危険度との関連付け方には、過去の事故事例や過去のインシデント事例（重大な災害や事故には至らないものの、直結してもおかしくない一歩手前の事例）を参考にする。本符号化技術を用いて過去事例を数値化したものを危険度データベース１６に蓄える。
【００３９】
例えば、障害物が有る障害物検出枠４２と死角に重畳する注視枠４８の組合せを、１組の連続した数値として表現する。図８（ｂ）〜図８（ｅ）に示す組合せは符号化され、且つ危険度と関連付けされて、危険度データベース１６に記憶されている。図８（ｂ）の組合せを符号化した結果は「0001010000000」であり、図８（ｃ）の組合せを符号化した結果は「010010001000」であり、図８（ｄ）の組合せを符号化した結果は「0000100100001」であり、図８（ｅ）の組合せは「0000100100010」である。
【００４０】
危険度算出部２７は、符号化処理部２９により符号化された障害物検出枠及び注視枠の組合せと、危険度データベース１６に記憶された符号化された組合せとを照合し、障害物検出枠及び注視枠の組合せに対応する危険度を算出する。
【００４１】
更に、符号化にて表現できる値を広げるために、障害物と死角の有無だけでなく、障害物そのものの属性情報も数値として表現してもよい。障害物判断部２６は、走行予定経路５１上にある特定地点において、障害物検出枠４２に有る障害物の属性を検出してもよい。符号化処理部２９は、障害物が有る障害物検出枠４２及び障害物の属性の組合せを符号化する。障害物の属性情報を考慮することにより、危険度の算出精度が向上する。もちろん、この組合せに、死角と重畳する注視枠４８を追加しても構わない。
【００４２】
障害物の属性を数値として表現する方法として、０と１の２ビット表現で符号化し、組合せを表現するビット列を増やせばよい。属性情報には、物理的な情報と性質的な情報が含まれる。物理的な情報としては、車両の重量及び大きさを含む車両仕様、及び、障害物の種類（歩行者、二輪車、四輪車）が挙げられる。性質的な情報としては、止まっているか又は動いているかの情報、更に、どの様な動きをしようとしているか、などの動き方の情報が挙げられる。
【００４３】
第１実施形態では、図４〜図７に示したように、特定地点に予め設定された全ての障害物検出枠４２及び注視枠４８を用いて危険度を算出する例を示した。しかし、実施形態は、これに限られない。例えば、特定地点に予め設定された障害物検出枠４２の中から一部の障害物検出枠４２’を選択し、選択された障害物検出枠４２’について、障害物が有るか否かを判断してもよい。
【００４４】
図２に示すように、シーン理解部２１は、特定地点に予め設定されている障害物検出枠４２の中から、走行予定経路５１によって定まる障害物検出枠４２’を選択する検出枠選択部２５を更に備える。障害物判断部２６は、検出枠選択部２５により選択された障害物検出枠４２に障害物が有るか否かを判断する。これにより、障害物判断部２６の演算負荷の増大を抑制することができる。
【００４５】
更に、検出枠選択部２５は、特定地点に予め設定されている注視枠４８の中から、走行予定経路５１によって定まる一部の注視枠４８’を選択してもよい。この場合、死角重畳判断部２８は、検出枠選択部２５により選択された注視枠４８’に、障害物によって生じる死角が重畳しているか否かを判断すればよい。れにより、死角重畳判断部２８の演算負荷の増大を抑制することができる。
【００４６】
図９（ａ）〜図９（ｄ）は、検出枠選択部２５により選択される障害物検出枠４２’の例を示す。図９（ａ）は信号機がある三叉路の例であり、図９（ｂ）は信号機がない三叉路の例であり、図９（ｃ）は合流地点の例であり、図９（ｄ）は横断歩道の例である。図９（ｅ）及び図９（ｆ）は、検出枠選択部２５により選択される注視枠４８’の例を示す。図９（ｅ）は信号機がある四叉路の例であり、図９（ｆ）は信号機がない四叉路の例である。
【００４７】
選択の方法を、三叉路を例に取って説明する。まず、自車４６の走行予定経路５１上にある障害物検出枠４２’を選択する。自車４６の走行予定経路５１と交差する他車線上にある障害物検出枠４２’を選択する。そして、選択された障害物検出枠４２’に接する注視枠４８’を選択する。これによって、自車４６の動きに関係する障害物検出枠４２’及び注視枠４８’を選択することができる。上記した選択の方法は、合流地点や横断歩道などの他の特定地点にも適用できる。
【００４８】
図３を参照して、第１実施形態に係わるシーン理解装置を含む運転支援装置１ａを用いたシーン理解方法及び運転支援方法の一例を説明する。
【００４９】
ステップＳ０１において、地図取得部２３は、障害物を検出するための１又は２以上の障害物検出枠４２が特定地点に予め設定されている地図データを取得する。なお、障害物検出枠４２を読み込むタイミングは、車両が特定地点に近づいたときに、その都度、近づいた特定地点における障害物検出枠４２を読み込むようにしてもよい。ステップＳ０３に進み、経路演算部２４は、自車４６の位置及び目的地の情報に基づいて、自車４６の走行予定経路５１を演算する。ステップＳ０５において、障害物判断部２６は、車載カメラ１３及びレーザセンサ１４によって検出された、車両周囲にある障害物の情報を取得する。ステップＳ０７において、障害物判断部２６は、車載カメラ１３及びレーザセンサ１４によって検出された、障害物の属性の情報を取得する。
【００５０】
ステップＳ１１に進み、死角重畳判断部２８は、車載カメラ１３及びレーザセンサ１４により検出された障害物によって生じる死角の範囲を演算する。ステップＳ１３に進み、シーン理解部２１は、走行予定経路５１上にある最寄りの特定地点が、３以上の道路が集まる交差点であるか否かを判断する。特定地点が交差点である場合の手順を説明する。その他の特定地点であっても、同様な手順を適用可能である。
【００５１】
ステップＳ１５に進み、検出枠選択部２５は、交差点に予め設定されている障害物検出枠４２及び注視枠４８の中から、走行予定経路５１によって定まる一部の障害物検出枠４２’及び一部の注視枠４８’を選択する。ステップＳ１７に進み、死角重畳判断部２８は、障害物によって生じる死角が注視枠４８’と重畳しているか否かを判断する。ステップＳ１９に進み、符号化処理部２９は、障害物が有る障害物検出枠４２の組合せを符号化する。そして、危険度算出部２７は、危険度データベース１６から、符号化された組合せと危険度との関係を示すデータを読み出す。
【００５２】
ステップＳ２１に進み、危険度算出部２７は、符号化処理部２９により符号化された組合せと、符号化された組合せと危険度との関係を示すデータとを照合することにより、特定地点の危険度を算出する。危険度算出部２７は、ステップＳ２３において、算出された危険度に応じて運転支援方法を決定し、運転支援部２２へ出力する。ステップＳ２５に進み、運転支援部２２は、決定された支援方法に従って、運転支援を実行する。
【００５３】
以上説明したように、本発明の第１実施形態によれば、以下の作用効果が得られる。
【００５４】
シーン理解装置は、地図データに予め設定された、道路構造に応じた形状の障害物検出枠４２における障害物の有無に基づいて、特定地点の危険度を算出する。よって、危険度の算出に無関係な位置で検出される障害物を処理対象から排除できるので、演算負荷が過度に増大することが抑制される。
【００５５】
図６に示したように、危険度算出部２７は、障害物４９によって生じる死角５０に、自車４６が注視すべき注視枠４８が重畳しているか否かに基づいて、特定地点の危険度を算出する。よって、死角５０に障害物が存在することを想定して特定地点の危険度を算出することができる。
【００５６】
危険度算出部２７は、障害物が有る障害物検出枠の組合せに基づいて、特定地点の危険度を算出する。これにより、障害物の各々について危険度を算出する必要がないので、演算負荷の過度な増大を抑制することができる。
【００５７】
危険度算出部２７は、危険度データベース１６を用いて、符号化された障害物検出枠の組合せから、特定地点の危険度を算出する。符号化により更に演算負荷の増大を抑制することができる。
【００５８】
障害物判断部２６は、走行予定経路５１上にある特定地点において、障害物検出枠４２に有る障害物の属性を検出し、符号化処理部２９は、障害物が有る障害物検出枠及び障害物の属性の組合せを符号化する。障害物の属性（物理的な情報、性質的な情報）を考慮することにより、危険度の算出精度が向上する。
【００５９】
図９に示したように、検出枠選択部２５は、特定地点に予め設定されている障害物検出枠４２の中から、走行予定経路５１によって定まる一部の障害物検出枠４２’を選択する。障害物判断部２６は、検出枠選択部２５により選択された障害物検出枠４２’に障害物が有るか否かを判断する。障害物判断部２６は、検出枠選択部２５により選択された障害物検出枠４２’だけを判断対象とすればよいので、更に演算負荷の増大を抑制することができる。
【００６０】
特定地点が３以上の道路が集まる交差点である場合、障害物検出枠４２は、交差点の入口、出口、交差点の内部、及び横断歩道に設定される。これにより、３以上の道路が集まる交差点の危険度算出において、演算負荷が過度に増大することが抑制される。
【００６１】
（第２実施形態）
図１０及び図１１を参照して、第１実施形態に係わるシーン理解装置を含む運転支援装置１ｂの構成を説明する。図１との相違は、運転支援装置１ｂが、危険度データベース１６の代わりに知識データベース１７を備えている点である。知識データベース１７には、特定地点における自車の位置によって定まる障害物検出枠４２、及び注意すべき障害物検出枠４２の順番を示すデータ（知識ツリー）が記憶されている。特定地点における自車の位置には、例えば、特定地点の入口、内部及び出口が含まれる。特定地点の入口、内部及び出口の各々に対して、障害物検出枠４２、及び注意すべき障害物検出枠４２の順番が定めされている。もちろん、知識ツリーには、自車の位置に対応して、注視枠４８及び注意すべき注視枠４８の順番が定めされていてもよい。
【００６２】
図１１を参照して、演算回路１７ｂにより構成される複数の演算処理部を説明する。演算回路１７ｂは、図２の演算回路１７ａと比べて、符号化処理部２９及び危険度データ取得部３０の代わりに、知識ツリー取得部３１を備える点で相違する。その他の構成は同じである。知識ツリー取得部３１は、知識データベース１７から、ＧＰＳ１１により検出された自車の位置に対応する、障害物検出枠４２、及び注意すべき障害物検出枠４２の順番を示すデータ（知識ツリー）を取得する。障害物判断部２６は、知識データベース１７から取得した障害物検出枠４２、及び注意すべき障害物検出枠４２の順番に基づいて、障害物検出枠４２に障害物が有るか否かを順番に判断する。これにより、特定地点における自車の位置に応じて、適切な危険度及び運転支援方法を算出することができる。
【００６３】
交差点を例にとり、知識ツリーを用いた危険度（運転支援方法）の算出方法を説明する。知識ツリーでは、交差点内で注意すべき領域（障害物検出枠４２及び注視枠４８）、及び複数の領域に対する注意すべき順序を設定する。知識ツリーは、例えば、「交差点入口情報」、「交差点出口情報」、「交差点内部の他車情報」、及び「死角情報」からなる。
【００６４】
具体的には、「交差点入口情報」は、交差点の入口付近に他車がいるか否かを示す情報である。「交差点出口情報」は、交差点の出口付近に他車がいるか否かを示す情報である。「交差点内部の他車情報」は、交差点内部に他車がいるか否かを示す情報である。「死角情報」は、交差点内部の他車の存在により生じる死角が注視枠４８を隠しているか否かを示す情報である。
【００６５】
これらの情報を、所定の順番によって取得することにより車両の行動の種類、つまり運転支援方法を決める。行動の種類には、交差点入口における「停止線停止」、「右折待ち領域で停止」、「横断歩道の手前にて停止」、「徐行して見通しのよい位置まで走行してから加速、もしくは、一旦停止」、「制限車速内で交差点通過」がある。知識ツリーを用いることにより、いずれかの速度制御の支援方法を決めることができる。
【００６６】
知識ツリーは、交差点における自車の位置に応じて異なる。つまり、交差点入口の手前にいる場合、交差点入口から右折待ち領域までの間にいる場合、右折待ち領域から横断歩道手前までの間にいる場合の各々について、異なる知識ツリーが予め用意され、知識データベース１７に格納されている。
【００６７】
図１２を参照して、第２実施形態に係わるシーン理解装置を含む運転支援装置１ｂを用いたシーン理解方法及び運転支援方法の一例を説明する。図３と同じステップには、同じ符号を付して説明を省略する。
【００６８】
図１２のフローチャートは、図３に比べて、ステップＳ１９（符号化・危険度データ取得）、ステップＳ２１（危険度算出）の代わりに、ステップＳ３１（知識ツリー取得）、ステップＳ３３（危険度算出）を備える点で相違する。その他のステップは図３と同じである。
【００６９】
ステップＳ３１において、知識ツリー取得部３１は、知識データベース１７から、ＧＰＳ１１により検出された自車の位置に対応する、障害物検出枠４２、注視枠４８、及び注意すべき障害物検出枠４２及び注視枠４８の順番を示すデータ（知識ツリー）を取得する。
【００７０】
ステップＳ３３に進み、障害物判断部２６は、知識データベース１７から取得した知識ツリーに基づいて、障害物検出枠４２に障害物が有るか否かを順番に判断する。危険度算出部２７は、障害物の有無に応じて、特定地点の危険度を算出する。ステップＳ２３に進み、危険度算出部２７は、算出された危険度に応じて運転支援方法を決定し、運転支援部２２へ出力する。
【００７１】
図１３を参照して、ステップＳ３３及びステップＳ２３を詳細に説明する。ステップＳ４１において、障害物判断部２６は、ＧＰＳ１１により検出された自車の位置が、交差点入口の手前であるか否かを判断する。交差点入口の手前である場合（Ｓ４１でＹＥＳ）、ステップＳ４７に進み、交差点入口に対応する知識ツリー（交差点入口）を実行することにより、危険度を算出し、運転支援方法を決定する。知識ツリー（交差点入口）の詳細は、図１４を参照して後述する。
【００７２】
交差点入口の手前でない場合（Ｓ４１でＮＯ）、ステップＳ４３に進み、自車の位置が、交差点入口から右折待ち領域までの間であるか否かを判断する。肯定的判断の場合（Ｓ４３でＹＥＳ）、ステップＳ４９に進み、交差点内部に対応する知識ツリー（交差点内部）を実行することにより、危険度を算出し、運転支援方法を決定する。知識ツリー（交差点内部）の詳細は、図１５を参照して後述する。
【００７３】
否定的判断の場合（Ｓ４３でＮＯ）、ステップＳ４５に進み、自車の位置が、右折待ち領域から横断歩道手前までの間であるか否かを判断する。肯定的判断の場合（Ｓ４５でＹＥＳ）、ステップＳ５１に進み、交差点出口に対応する知識ツリー（交差点出口）を実行することにより、危険度を算出し、運転支援方法を決定する。知識ツリー（交差点出口）の詳細は、図１６を参照して後述する。
【００７４】
図１４を参照して、図１２のステップＳ４７に示す知識ツリー（交差点入口）の詳細な手順を説明する。上記した「交差点入口情報Ｄ０１」に基づき、交差点の入口付近に他車がいるか否かを判断する。他車がいる場合、自車の行動として、停止線で停車することを決定する（Ｓ７１）。他車がいない場合、「交差点出口情報Ｄ０３」に基づき、交差点の出口付近に他車がいるか否かを判断する。他車がいる場合、自車の行動として、停止線で停車することを決定する（Ｓ７３）。他車がいない場合、「交差点内停止車両情報Ｄ０５」に基づき、交差点内部に停止している他車がいるか否かを判断する。他車がいない場合、自車の行動として、右折待ち領域まで移動することを決定する（Ｓ７５）。
【００７５】
他車がいる場合、「停止車両位置情報Ｄ０７」に基づき、他車が右折待ち領域にいるのか、対向車線入口付近にいるのか、を判断する。他車が右折待ち領域にいる場合において、対向車線入口に他車による死角が形成される場合、自車の行動として、右折待ち領域まで移動することを決定する（Ｓ８１）。他車が右折待ち領域にいる場合において、他車の後方に死角が形成される場合、自車の行動として、徐行して停止することを決定する（Ｓ７９）。他車が対向車線入口付近にいる場合において、他車の後方に死角が形成される場合、自車の行動として、徐行して停止することを決定する（Ｓ７９）。他車が対向車線入口付近にいる場合において、対向車線入口の側道に死角が形成される場合、自車の行動として、右折待ち領域まで移動することを決定する（Ｓ７７）。
【００７６】
図１５を参照して、図１２のステップＳ４９に示す知識ツリー（交差点内部）の詳細な手順を説明する。上記した「交差点出口情報Ｄ０３」に基づき、交差点の出口付近に他車がいるか否かを判断する。他車がいる場合、自車の行動として、右折待ち領域で停車することを決定する（Ｓ８３）。他車がいない場合、「対向車線入口情報Ｄ２７」に基づき、対向車線の入口付近に他車がいるか否かを判断する。他車がいる場合、「死角情報Ｄ１３」に基づき、他車の後方に見通せるか否かを判断する。他車の後方に見通せる場合、自車の行動として、衝突を回避するための制御を行うことを決定する（Ｓ８７）。他車の後方を見通せない場合、自車の行動として、右折待ち領域で停車することを決定する（Ｓ８５）。
【００７７】
対向車線の入口付近に他車がいない場合、「巻き込み情報Ｄ１５」を参照して、自車後方の内側から、右折する二輪車がいるか否かを判断する。二輪車がいない場合、自車の行動として、横断歩道手前まで移動することを決定する（Ｓ８９）。二輪車がいる場合、「死角情報Ｄ１７」に基づき、二輪車の手前が見通せるか否かを判断する。二輪車の手前が見通せる場合、自車の行動として、二輪車を先に通過させてから、横断歩道手前まで移動することを決定する（Ｓ９３）。二輪車の手前が見通せない場合、自車の行動として、右折待ち領域で停車することを決定する（Ｓ９１）。
【００７８】
図１６を参照して、図１２のステップＳ５１に示す知識ツリー（交差点出口）の詳細な手順を説明する。「対向車線左折情報Ｄ１９」または「交差点巻き込み情報Ｄ２１」に基づき、対向車線で交差点を左折する他車、或いは、自車後方の内側から交差点を右折する二輪車（他車）がいるか否かを判断する。他車がいる場合、自車の行動として、徐行しながら他車を先行させることを決定する（Ｓ９５）。他車がいない場合、「横断歩道情報Ｄ２３」に基づき、横断歩道に人がいるか否かを判断する。人がいる場合、自車の行動として、横断歩道の手前で停車することを決定する（Ｓ９７）。人がいない場合、「横断歩道出入口情報Ｄ２５」に基づき、横断歩道の周囲に人がいるか否かを判断する。周囲に人がいる場合、自車の行動として、１秒長く停止した後、人が動いていなければ、横断歩道を通過することを決定する（Ｓ１０１）。周囲に人がいない場合、自車の行動として、横断歩道を通過することを決定する（Ｓ９９）。
【００７９】
以上説明したように、第２実施形態によれば、以下の作用効果が得られる。
【００８０】
障害物判断部２６は、知識データベース１７を参照して、自車の位置に対応する知識ツリー（図１４〜図１６）を用いて、障害物検出枠４２に障害物が有るか否かを順番に判断する。これにより、特定地点における自車の位置に応じて、適切な危険度を算出し、適切な車両の行動を決定することができる。
【００８１】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【符号の説明】
【００８２】
１ａ、１ｂ  運転支援装置
２  障害物検出枠
１２  地図データベース
１６  危険度データベース
１７  知識データベース
２１  シーン理解部（シーン理解装置）
２３  地図取得部
２４  経路演算部（経路取得部）
２５  検出枠選択部
２６  障害物判断部
２７  危険度算出部
２８  死角重畳判断部
２９  符号化処理部
３０  危険度データ取得部
３１  知識ツリー取得部
４２、４２’  障害物検出枠
４８、４８’  注視枠
４９  障害物
５０  死角
５１  自車
５１  走行予定経路
５２  バイク（障害物）
５３  歩行者（障害物）
【図１】
2016170646.tif 000003
【図２】
2016170646.tif 000004
【図３】
2016170646.tif 000005
【図４】
2016170646.tif 000006
【図５】
2016170646.tif 000007
【図６】
2016170646.tif 000008
【図７】
2016170646.tif 000009
【図８】
2016170646.tif 000010
【図９】
2016170646.tif 000011
【図１０】
2016170646.tif 000012
【図１１】
2016170646.tif 000013
【図１２】
2016170646.tif 000014
【図１３】
2016170646.tif 000015
【図１４】
2016170646.tif 000016
【図１５】
2016170646.tif 000017
【図１６】
2016170646.tif 000018
【手続補正書】
【提出日】平成27年10月20日(2015.10.20)
【手続補正１】
【補正対象書類名】特許請求の範囲
【補正対象項目名】全文
【補正方法】変更
【補正の内容】
【特許請求の範囲】
【請求項１】
道路上における道路構造に応じて車両同士又は車両と人が交錯する特定地点の危険度を判断するシーン理解装置であって、
障害物を検出するための１又は２以上の、前記特定地点の道路構造に応じた形状の障害物検出枠が前記特定地点に予め設定されている地図データを取得する地図取得部と、
自車の走行予定経路を示す経路データを取得する経路取得部と、
前記走行予定経路上にある前記特定地点において、前記障害物検出枠に障害物が有るか否かを判断する障害物判断部と、
前記障害物の有無の判断結果に基づいて、前記特定地点の危険度を算出する危険度算出部と、
を備えることを特徴とするシーン理解装置。
【請求項２】
前記地図取得部は、前記障害物によって生じる死角と重畳するか否かを注視すべき注視枠が、前記特定地点に予め設定されている前記地図データを取得し、
前記シーン理解装置は、前記障害物によって生じる死角が前記注視枠と重畳しているか否かを判断する死角重畳判断部を更に備え、
前記危険度算出部は、前記重畳しているか否かの判断結果に基づいて、前記特定地点の危険度を算出する
ことを特徴とする請求項１に記載のシーン理解装置。
【請求項３】
前記特定地点には複数の前記障害物検出枠が設定され、
前記危険度算出部は、前記障害物が有る前記障害物検出枠の組合せに基づいて、前記特定地点の危険度を算出する
ことを特徴とする請求項１又は２に記載のシーン理解装置。
【請求項４】
前記障害物が有る前記障害物検出枠の組合せが符号化され、前記符号化された前記組合せと前記危険度との関係を記憶する危険度データベースと、
前記障害物が有る前記障害物検出枠の組合せを符号化する符号化処理部と、を備え、
前記危険度算出部は、前記危険度データベースを用いて、前記符号化された組合せから、前記特定地点の危険度を算出する
ことを特徴とする請求項３に記載のシーン理解装置。
【請求項５】
前記障害物判断部は、前記走行予定経路上にある前記特定地点において、前記障害物検出枠に有る障害物の属性を検出し、
前記符号化処理部は、前記障害物が有る前記障害物検出枠及び前記障害物の属性の組合せを符号化する
ことを特徴とする請求項４に記載のシーン理解装置。
【請求項６】
前記特定地点に予め設定されている前記障害物検出枠の中から、前記走行予定経路によって定まる障害物検出枠を選択する検出枠選択部をさらに備え、
前記障害物判断部は、前記検出枠選択部により選択された前記障害物検出枠に障害物が有るか否かを判断する
ことを特徴とする請求項１〜５のいずれか一項に記載のシーン理解装置。
【請求項７】
前記特定地点における自車の位置によって定まる障害物検出枠、及び注意すべき前記障害物検出枠の順番を記憶する知識データベースと、
自車の位置を検出する自車位置検出部と、を更に備え、
前記障害物判断部は、前記知識データベースを参照して、自車の位置に基づいて、前記障害物検出枠に障害物が有るか否かを順番に判断する
ことを特徴とする請求項１、２及び６のいずれか一項に記載のシーン理解装置。
【請求項８】
前記特定地点は、３以上の道路が集まる交差点であって、
前記障害物検出枠は、前記交差点の入口、出口、交差点の内部、及び横断歩道に設定される
ことを特徴とする請求項１〜７のいずれか一項に記載のシーン理解装置。
【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
道路の交錯により、車両同士又は車両と人が交錯する特定地点の危険度を判断するシーン理解装置であって、
障害物を検出するための障害物検出枠が、前記特定地点の道路構造に応じて、交差する道路の双方に予め設定されている地図データを取得する地図取得部と、
自車の走行予定経路を示す経路データを取得する経路取得部と、
前記走行予定経路上にある前記特定地点において、前記障害物検出枠に障害物が有るか否かを判断する障害物判断部と、
前記障害物の有無の判断結果に基づいて、前記特定地点の危険度を算出する危険度算出部と、
を備えることを特徴とするシーン理解装置。
【請求項２】
前記地図取得部は、前記障害物によって生じる死角と重畳するか否かを注視すべき注視枠が、前記特定地点に予め設定されている前記地図データを取得し、
前記シーン理解装置は、前記障害物によって生じる死角が前記注視枠と重畳しているか否かを判断する死角重畳判断部を更に備え、
前記危険度算出部は、前記重畳しているか否かの判断結果に基づいて、前記特定地点の危険度を算出する
ことを特徴とする請求項１に記載のシーン理解装置。
【請求項３】
前記特定地点には複数の前記障害物検出枠が設定され、
前記危険度算出部は、前記障害物が有る前記障害物検出枠の組合せに基づいて、前記特定地点の危険度を算出する
ことを特徴とする請求項１又は２に記載のシーン理解装置。
【請求項４】
前記障害物が有る前記障害物検出枠の組合せが符号化され、前記符号化された前記組合せと前記危険度との関係を記憶する危険度データベースと、
前記障害物が有る前記障害物検出枠の組合せを符号化する符号化処理部と、を備え、
前記危険度算出部は、前記危険度データベースを用いて、前記符号化された組合せから、前記特定地点の危険度を算出する
ことを特徴とする請求項３に記載のシーン理解装置。
【請求項５】
前記障害物判断部は、前記走行予定経路上にある前記特定地点において、前記障害物検出枠に有る障害物の属性を検出し、
前記符号化処理部は、前記障害物が有る前記障害物検出枠及び前記障害物の属性の組合せを符号化する
ことを特徴とする請求項４に記載のシーン理解装置。
【請求項６】
前記特定地点に予め設定されている前記障害物検出枠の中から、前記走行予定経路によって定まる障害物検出枠を選択する検出枠選択部をさらに備え、
前記障害物判断部は、前記検出枠選択部により選択された前記障害物検出枠に障害物が有るか否かを判断する
ことを特徴とする請求項１〜５のいずれか一項に記載のシーン理解装置。
【請求項７】
前記特定地点における自車の位置によって定まる障害物検出枠、及び注意すべき前記障害物検出枠の順番を記憶する知識データベースと、
自車の位置を検出する自車位置検出部と、を更に備え、
前記障害物判断部は、前記知識データベースを参照して、自車の位置に基づいて、前記障害物検出枠に障害物が有るか否かを順番に判断する
ことを特徴とする請求項１、２及び６のいずれか一項に記載のシーン理解装置。
【請求項８】
前記特定地点は、３以上の道路が集まる交差点であって、
前記障害物検出枠は、前記交差点の入口、出口、交差点の内部、及び横断歩道に設定される
ことを特徴とする請求項１〜７のいずれか一項に記載のシーン理解装置。
【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
道路の交錯により、車両同士又は車両と人が交錯する特定地点の危険度を判断するシーン理解装置であって、
障害物を検出するための障害物検出枠が、前記特定地点の道路構造に応じて、交差する道路の双方に予め設定されている地図データを取得する地図取得部と、
自車の走行予定経路を示す経路データを取得する経路取得部と、
前記走行予定経路上にある前記特定地点に予め設定されている前記障害物検出枠の中から、前記走行予定経路によって定まる障害物検出枠を選択する検出枠選択部と、
前記検出枠選択部により選択された前記障害物検出枠に障害物が有るか否かを判断する障害物判断部と、
前記障害物の有無の判断結果に基づいて、前記特定地点の危険度を算出する危険度算出部と、
を備えることを特徴とするシーン理解装置。
【請求項２】
前記地図取得部は、前記障害物によって生じる死角と重畳するか否かを注視すべき注視枠が、前記特定地点に予め設定されている前記地図データを取得し、
前記シーン理解装置は、前記障害物によって生じる死角が前記注視枠と重畳しているか否かを判断する死角重畳判断部を更に備え、
前記危険度算出部は、前記重畳しているか否かの判断結果に基づいて、前記特定地点の危険度を算出する
ことを特徴とする請求項１に記載のシーン理解装置。
【請求項３】
前記特定地点には複数の前記障害物検出枠が設定され、
前記危険度算出部は、前記障害物が有る前記障害物検出枠の組合せに基づいて、前記特定地点の危険度を算出する
ことを特徴とする請求項１又は２に記載のシーン理解装置。
【請求項４】
前記障害物が有る前記障害物検出枠の組合せが符号化され、前記符号化された前記組合せと前記危険度との関係を記憶する危険度データベースと、
前記障害物が有る前記障害物検出枠の組合せを符号化する符号化処理部と、を備え、
前記危険度算出部は、前記危険度データベースを用いて、前記符号化された組合せから、前記特定地点の危険度を算出する
ことを特徴とする請求項３に記載のシーン理解装置。
【請求項５】
前記障害物判断部は、前記走行予定経路上にある前記特定地点において、前記障害物検出枠に有る障害物の属性を検出し、
前記符号化処理部は、前記障害物が有る前記障害物検出枠及び前記障害物の属性の組合せを符号化する
ことを特徴とする請求項４に記載のシーン理解装置。
【請求項６】
（削除）
【請求項７】
前記特定地点における自車の位置によって定まる障害物検出枠、及び注意すべき前記障害物検出枠の順番を記憶する知識データベースと、
自車の位置を検出する自車位置検出部と、を更に備え、
前記障害物判断部は、前記知識データベースを参照して、自車の位置に基づいて、前記障害物検出枠に障害物が有るか否かを順番に判断する
ことを特徴とする請求項１、２のいずれか一項に記載のシーン理解装置。
【請求項８】
前記特定地点は、３以上の道路が集まる交差点であって、
前記障害物検出枠は、前記交差点の入口、出口、交差点の内部、及び横断歩道に設定される
ことを特徴とする請求項１〜５、７のいずれか一項に記載のシーン理解装置。
【手続補正書】
【提出日】平成29年11月14日(2017.11.14)
【手続補正１】
【補正対象書類名】明細書
【補正対象項目名】０００８
【補正方法】変更
【補正の内容】
【０００８】
次に、図面を参照して、本発明の実施の形態を詳細に説明する。
【手続補正２】
【補正対象書類名】明細書
【補正対象項目名】００４４
【補正方法】変更
【補正の内容】
【００４４】
図２に示すように、シーン理解部２１は、特定地点に予め設定されている障害物検出枠４２の中から、走行予定経路５１によって定まる障害物検出枠４２’を選択する検出枠選択部２５を更に備える。障害物判断部２６は、検出枠選択部２５により選択された障害物検出枠４２’に障害物が有るか否かを判断する。これにより、障害物判断部２６の演算負荷の増大を抑制することができる。
【手続補正３】
【補正対象書類名】明細書
【補正対象項目名】００６１
【補正方法】変更
【補正の内容】
【００６１】
（第２実施形態）
図１０及び図１１を参照して、第２実施形態に係わるシーン理解装置を含む運転支援装置１ｂの構成を説明する。図１との相違は、運転支援装置１ｂが、危険度データベース１６の代わりに知識データベース１７を備えている点である。知識データベース１７には、特定地点における自車の位置によって定まる障害物検出枠４２、及び注意すべき障害物検出枠４２の順番を示すデータ（知識ツリー）が記憶されている。特定地点における自車の位置には、例えば、特定地点の入口、内部及び出口が含まれる。特定地点の入口、内部及び出口の各々に対して、障害物検出枠４２、及び注意すべき障害物検出枠４２の順番が定めされている。もちろん、知識ツリーには、自車の位置に対応して、注視枠４８及び注意すべき注視枠４８の順番が定めされていてもよい。
【手続補正４】
【補正対象書類名】明細書
【補正対象項目名】００７４
【補正方法】変更
【補正の内容】
【００７４】
図１４を参照して、図１３のステップＳ４７に示す知識ツリー（交差点入口）の詳細な手順を説明する。上記した「交差点入口情報Ｄ０１」に基づき、交差点の入口付近に他車がいるか否かを判断する。他車がいる場合、自車の行動として、停止線で停車することを決定する（Ｓ７１）。他車がいない場合、「交差点出口情報Ｄ０３」に基づき、交差点の出口付近に他車がいるか否かを判断する。他車がいる場合、自車の行動として、停止線で停車することを決定する（Ｓ７３）。他車がいない場合、「交差点内停止車両情報Ｄ０５」に基づき、交差点内部に停止している他車がいるか否かを判断する。他車がいない場合、自車の行動として、右折待ち領域まで移動することを決定する（Ｓ７５）。
【手続補正５】
【補正対象書類名】明細書
【補正対象項目名】００８２
【補正方法】変更
【補正の内容】
【００８２】
１ａ、１ｂ  運転支援装置
２  障害物検出枠
１２  地図データベース
１６  危険度データベース
１７  知識データベース
２１  シーン理解部（シーン理解装置）
２３  地図取得部
２４  経路演算部（経路取得部）
２５  検出枠選択部
２６  障害物判断部
２７  危険度算出部
２８  死角重畳判断部
２９  符号化処理部
３０  危険度データ取得部
３１  知識ツリー取得部
４２、４２’  障害物検出枠
４６  自車
４８、４８’  注視枠
４９  障害物
５０  死角
５１  走行予定経路
５２  バイク（障害物）
５３  歩行者（障害物）
【国際調査報告】
2016170646.tif 000019
2016170646.tif 000020
2016170646.tif 000021
2016170646.tif 000022